(57)【要約】【課題】  ビニールハウスの骨組みをなす縦パイプを横パイプ側に容易に引き寄せることが可能なパイプ引き寄せ工具の提供。【解決手段】  ビニールハウスの骨組みをなす縦パイプを横パイプ側に引き寄せるパイプ引き寄せ工具であって、への字形状に成形された操作棒１を備え、該操作棒１の折曲部２を挟んで伸びる短寸側部分３Ａの先端に横パイプに引っ掛けられるフック４を設け、操作棒１の折曲部２を挟んで伸びる長寸側部分３Ｂの先端にグリップ５を形成すると共に、該グリップ５と折曲部２の間に横パイプに係合するロックピン６を設けて、上記操作棒１の折曲部２で縦パイプを横パイプ側に引き寄せることにより、テコの原理を利用して、縦パイプを横パイプ側に容易に引き寄せることが可能となるので、これにより、ビニールハウスの骨組みを極めて簡単に構築できる。【選択図】          図１
2006296327.tif 000002
【特許請求の範囲】
【請求項１】
ビニールハウスの骨組みをなす縦パイプを横パイプ側に引き寄せるパイプ引き寄せ工具であって、への字形状に成形された操作棒を備え、該操作棒の折曲部を挟んで伸びる短寸側部分の先端に横パイプに引っ掛けられるフックを設け、操作棒の折曲部を挟んで伸びる長寸側部分の先端にグリップを形成すると共に、該グリップと折曲部の間に横パイプに係合するロックピンを設けて、上記操作棒の折曲部で縦パイプを横パイプ側に引き寄せることを特徴とするパイプ引き寄せ工具。
【請求項２】
操作棒の長寸側部分に設けられるロックピンの位置が両パイプ径に応じて変更できることを特徴とする請求項１記載のパイプ引き寄せ工具。
【発明の詳細な説明】
【技術分野】
【０００１】
本発明は、各種ビニールハウスの骨組みを構築する場合に、その縦パイプを横パイプ側に引き寄せる工具に関するものである。
【背景技術】
【０００２】
一般に、ビニールハウスを建てる場合には、最初に、地面に対して、アーチ状を呈する相当数の縦パイプを一定の間隔をおいて連続して立設し、次に、この各縦パイプの両側に直線状を呈する横パイプをジョイント金具を介して連結して、ビニールハウスの骨組みを構築する訳であるが、この時に、相当数の縦パイプは、単独で地面に対して立設される関係で、必ずしも、全てが真っ直ぐに連続して立設されるとは限らない。この為、横パイプをジョイント金具を介して連結する際に、当該横パイプの両端部を端に存在する縦パイプに連結すると、中間に存在する縦パイプと横パイプとの間に不揃いの隙間が発生して、ジョイント金具で連結できなくなる恐れがあった。
【発明の開示】
【発明が解決しようとする課題】
【０００３】
従って、従来にあって、縦パイプと横パイプとの間に隙間が発生したような場合には、通常は、二人一組となって、一人は個々の縦パイプをその隙間を閉じるように横パイプ側に強制的に押し付けながら、この押し付け状態を維持したまま、もう一人がジョイント金具で両パイプを連結することが余儀なくされるので、作業員の人数を含め、作業が徒に大変となる嫌いがあった。しかも、縦パイプを横パイプ側に強制的に押し付ける場合には、比較的大きなアーチ状の縦パイプを直接握りながら、無理矢理に押し付けなければならないので、かなりの力が必要となる。
【課題を解決するための手段】
【０００４】
本発明は、斯かる従来の実情に鑑み開発されたもので、請求項１記載の発明は、ビニールハウスの骨組みをなす縦パイプを横パイプ側に引き寄せるパイプ引き寄せ工具であって、への字形状に成形された操作棒を備え、該操作棒の折曲部を挟んで伸びる短寸側部分の先端に横パイプに引っ掛けられるフックを設け、操作棒の折曲部を挟んで伸びる長寸側部分の先端にグリップを形成すると共に、該グリップと折曲部の間に横パイプに係合するロックピンを設けて、上記操作棒の折曲部で縦パイプを横パイプ側に引き寄せることを特徴とする。
【０００５】
請求項２記載の発明は、請求項１を前提して、操作棒の長寸側部分に設けられるロックピンの位置が両パイプ径に応じて変更できることを特徴とする。
【発明の効果】
【０００６】
依って、請求項１記載の発明にあっては、ビニールハウスの骨組みを構築する場合に、縦パイプと横パイプの間に不揃いの隙間が生じているような時には、操作棒を縦パイプの外側に廻しながら、操作棒の短寸側部分に設けられたフックを横パイプに引っ掛け、操作棒の折曲部を縦パイプに合わせる状態を得て、操作棒の長寸側部分に形成されたグリップを握って、該グリップを手前に引き付けながら、操作棒の長寸側部分に設けられたロックピンを横パイプの内側に係合させると、縦パイプが横パイプ側に強制的に引き寄せられるので、この状態のまま、縦パイプと横パイプとをジョイント金具で連結すれば、一人の作業員で、ビニールハウスの骨組みを極めて簡単に構築できる。
【０００７】
請求項２記載の発明にあっては、縦パイプと横パイプの径に応じて、ロックピンの位置を変更できるので、使用する両パイプの種類に拘わらず、常に、縦パイプを横パイプ側に確実に引き寄せられる。
【発明を実施するための最良の形態】
【０００８】
本発明は、ビニールハウスの骨組みをなす縦パイプを横パイプ側に引き寄せるパイプ引き寄せ工具を前提として、への字形状に成形された操作棒を備え、該操作棒の折曲部を挟んで伸びる短寸側部分の先端に横パイプに引っ掛けられるフックを設け、操作棒の折曲部を挟んで伸びる長寸側部分の先端にグリップを形成すると共に、該グリップと折曲部の間に横パイプに係合するロックピンを設けて、上記操作棒の折曲部で縦パイプを横パイプ側に引き寄せることにより、一人の作業員で、テコの原理を利用して、縦パイプを横パイプ側に容易に引き寄せられるので、縦パイプと横パイプとをいとも簡単に連結することが可能となる。
【実施例】
【０００９】
以下、本発明を図示する好適な実施例に基づいて詳述すれば、該実施例に係るパイプ引き寄せ工具は、図１に示す如く、丸パイプから成形されて「へ」の字形状を呈する操作棒１を備え、該操作棒１の折曲部２を挟んで伸びる短寸側部分３Ａに対しては、その先端にビニールハウスの骨組みをなす横パイプに引っ掛けられる横Ｕ字状のフック４を溶接で固設し、同操作棒１の折曲部２を挟んで伸びる長寸側部分３Ｂに対しては、その先端側にゴム製のグリップ５を形成すると共に、該グリップ５と折曲部２の間に上記横パイプの内側に係合するロックピン６を垂設する構成となっている。
【００１０】
尚、上記のロックピン６に関しては、図示する如く、操作棒１の長寸側部分３Ｂに予め複数の取付孔７を穿設しておいて、ビニールハウスの骨組みをなす縦パイプと横パイプの径に応じて、該取付孔７を選択して、位置を変更しながら、蝶ナット８を介して係脱可能に取り付けるものとする。
【００１１】
依って、本実施例の下でも、各種のビニールハウスの骨組みを構築する場合には、従来と同様に、地面に対して、アーチ状を呈する相当数の縦パイプＰ１を一定の間隔をおいて連続して立設し、次に、この各縦パイプＰ１の両側に直線状を呈する横パイプＰ２をジョイント金具Ｊを介して連結して、ビニールハウスの骨組みを構築する訳であるが、この時に、図２に示す如く、縦パイプＰ１と横パイプＰ２との間に不揃いの隙間９が発生して、そのままでは、ジョイント金具Ｊが取り付けられなくなったような時には、まず、図３に示す如く、操作棒１自体を縦パイプＰ１の外側に廻しながら、操作棒１の短寸側部分３Ａに設けられた横Ｕ字状のフック４を横パイプＰ２に引っ掛ける。
【００１２】
そして、この支点となるフック４の位置を調整して、操作棒１の作用点となる折曲部２を縦パイプＰ１に合わせる状態を得て、操作棒１の長寸側部分３Ｂに形成されたグリップ５を握って、図４に示す如く、テコの原理を利用して、力点となるグリップ５を手前に引き付けながら、図５に示す如く、操作棒１の長寸側部分３Ｂに設けられたロックピン６を横パイプＰ２の内側に係合させると、図６に示す如く、縦パイプＰ１が上記隙間９を閉じるように横パイプＰ２側に容易に引き寄せられることとなる。尚、グリップ５を下げて、ロックピン６が横パイプＰ２に係合した状態では、手を離しても、工具自体が誤って両パイプＰ１・Ｐ２から落下することはないが、縦パイプＰ１と横パイプＰ２も引き寄せられた状態のままロックされている。
【００１３】
従って、後は、図７に示す如く、このロック状態を利用して、縦パイプＰ１と横パイプＰ２とをジョイント金具Ｊで連結すれば、一人の作業員で、ビニールハウスの骨組みを極めて簡単に構築することが可能となる。
【００１４】
尚、この場合に、上記した取付孔７を選択して、使用される縦パイプＰ１と横パイプＰ２の径に応じて、ロックピン６の位置を変更すれば、ビニールハウスの骨組みをなす両パイプＰ１・Ｐ２の種類に拘わらず、常に、縦パイプＰ１を横パイプＰ２側に確実に引き寄せることが可能となる。
【産業上の利用可能性】
【００１５】
本発明に係るパイプ引き寄せ工具は、テコの原理を積極的に利用して、一人の作業員で、各種ビニールハウスの骨組みをなす縦パイプを横パイプ側に簡単に引き寄せることが可能となるので、各種ビニールハウスの骨組みを構築する場合には、作業性の上で、頗る好都合なものとなる。
【図面の簡単な説明】
【００１６】
【図１】本発明の実施例に係るパイプ引き寄せ工具を一部分解して示す全体斜視図である。
【図２】縦パイプと横パイプとの間に隙間が発生した状態を示す説明図である。
【図３】操作棒のフックを横パイプに引っ掛けた状態を示す要部斜視図である。
【図４】操作棒のグリップを引き付けた状態を示す要部斜視図である。
【図５】ロックピンを横パイプの内側に係合させた状態を示す要部斜視図である。
【図６】縦パイプを横パイプ側に強制的に引き寄せた状態を示す説明図である。
【図７】縦パイプと横パイプとをジョイント金具を用いて連結した状態を示す要部斜視図である。
【符号の説明】
【００１７】
１    操作棒
２    操作棒の折曲部
３Ａ  操作棒の短寸側部分
３Ｂ  操作棒の長寸側部分
４    フック
５    グリップ
６    ロックピン
７    取付孔
８    蝶ナット
９    隙間
Ｐ１  縦パイプ
Ｐ２  横パイプ
Ｊ    ジョイント金具
【図１】
2006296327.tif 000003
【図２】
2006296327.tif 000004
【図３】
2006296327.tif 000005
【図４】
2006296327.tif 000006
【図５】
2006296327.tif 000007
【図６】
2006296327.tif 000008
【図７】
2006296327.tif 000009